(57)【特許請求の範囲】
【請求項１】
管理装置と医療従事者が携帯する看護端末装置とを備える看護業務支援システムであって、
前記管理装置は、
入院患者の氏名、病室、患者の状態、及び看護項目を少なくとも管理する情報管理手段と、
前記情報管理手段を参照し、各入院患者の状態及び看護項目を含む看護情報付きの入院患者名リストのＧＵＩを各病室について生成する全病室表示生成手段と、
病院内の地図上の各病室の位置に、前記全病室表示生成手段が生成した各病室のＧＵＩをそれぞれ表示する全体表示手段と、
前記看護端末装置の現在位置を特定する端末位置特定手段と、
前記端末位置特定手段により前記看護端末装置の現在位置が或る病室であると特定されたとき、前記情報管理手段を参照し当該病室の各入院患者の前記看護情報を当該看護端末装置に送信する情報提供手段と、
を備え、
前記看護端末装置は、
当該看護端末装置の現在位置が前記或る病室のときに、前記情報提供手段から送信された当該病室の各入院患者の前記看護情報を受信する情報取得手段と、
前記或る病室の各入院患者の前記看護情報付きの入院患者名リストのＧＵＩを生成する病室表示生成手段と、
前記病室表示生成手段が生成した前記ＧＵＩを表示する端末表示手段と、
を備える看護業務支援システム。
【請求項２】
全体表示手段は、病院内の地図上に前記看護端末装置の現在位置を更に表示することを特徴とする請求項１に記載の看護業務支援システム。
【請求項３】
前記全病室表示生成手段及び前記病室表示生成手段は、各入院患者の前記看護情報を分割し、分割された各部分を所定の時間ごとに順次切り替えて表示するＧＵＩを生成することを特徴とする請求項１又は２に記載の看護業務支援システム。
【請求項４】
前記全病室表示生成手段及び前記病室表示生成手段は、前記看護項目をアイコンにより表現するＧＵＩを生成することを特徴とする請求項１から３のいずれか１項に記載の看護業務支援システム。
【請求項５】
前記看護端末装置は、
前記看護項目の実施完了情報を入力する入力手段を更に備え、
前記病室表示生成手段は、前記入力手段への実施完了情報の入力を契機に前記看護項目の実施が完了していることを識別可能なＧＵＩを生成し、
前記端末表示手段は、前記病室表示生成手段で更新されたＧＵＩを表示し、
前記管理装置は、
前記情報管理手段を参照して前記看護項目の実施状況を監視する監視手段を更に備え、
前記情報管理手段は、更に前記看護項目の実施状況を管理し、前記看護端末装置における前記実施完了情報の入力を契機に実施状況を実施完了に更新し、
前記全病室表示生成手段は、実施状況の更新を前記監視手段が検知したことを契機に前記看護項目の実施が完了していることを識別可能なＧＵＩを生成する
ことを特徴とする請求項１から４のいずれか１項に記載の看護業務支援システム。
【請求項６】
前記入力手段は、
前記端末表示手段に表示された入院患者名リストから特定の入院患者の選択を受け付ける選択受付手段と、
前記選択受付手段が選択を受け付けた特定の入院患者の前記看護情報を一覧表示するＧＵＩを生成し、前記端末表示手段に表示する個人情報画面生成手段と、
前記端末表示手段に表示された前記看護情報の一覧表示画面で看護項目の実施完了情報の入力を受け付ける入力受付手段と、
を備える
ことを特徴とする請求項５に記載の看護業務支援システム。
【請求項７】
前記情報管理手段は、更に看護項目の実施完了予定時刻を管理し、
前記監視手段は、更に前記看護項目の実施状況が実施完了予定時刻に実施完了に更新されているか否かを監視し、
前記全病室表示生成手段は、前記実施状況が実施完了予定時刻後に未更新であることを前記監視手段が検知したことを契機に、実施完了予定時刻後に未実施であることを前記看護項目の表示部分で識別可能なＧＵＩを生成し、
前記情報提供手段は、前記監視手段が検知した前記実施状況の未更新情報を前記看護端末装置に提供し、
前記情報取得手段は、前記情報提供手段から前記未更新情報を取得し、
前記病室表示生成手段は、実施完了予定時刻後未実施であることを前記看護項目の表示部分で識別可能なＧＵＩを生成する
ことを特徴とする請求項５又は６に記載の看護業務支援システム。
【請求項８】
前記入院患者が携帯又は装着する患者端末装置を更に備え、
前記端末位置特定手段は、更に前記患者端末装置の現在位置を特定し、
前記監視手段は、前記情報管理手段を参照し入院患者の病室の位置と当該入院患者の前記患者端末装置の現在位置との離隔の状況を監視し、
前記全病室表示生成手段は、入院患者の病室の位置と当該入院患者の前記患者端末装置の現在位置との所定の離隔の発生を前記監視手段が検知したことを契機に、所定の離隔の発生を前記看護情報の表示部分で識別可能なＧＵＩを生成する
ことを特徴とする請求項５から７のいずれか１項に記載の看護業務支援システム。
【請求項９】
前記全体表示手段は、前記端末位置特定手段により特定された前記患者端末装置の現在位置を表示することを特徴とする請求項８に記載の看護業務支援システム。
【請求項１０】
前記情報管理手段は、更に前記看護項目の実施予定時刻及び実施場所を管理し、
前記監視手段は、或る入院患者の前記看護項目の実施予定時刻において当該入院患者の前記患者端末装置が当該看護項目の実施場所に在るか否かを更に監視し、
前記全病室表示生成手段は、前記実施予定時刻において前記患者端末装置が当該実施場所に不在であることを前記監視手段が検知したことを契機に、不在であることを前記看護情報の表示部分で識別可能なＧＵＩを生成する
ことを特徴とする請求項８又は９に記載の看護業務支援システム。
【請求項１１】
前記管理装置及び前記看護端末装置は、前記監視手段が所定の検知をしたことを音声又はアラームにより通知する警告手段を更に備えることを特徴とする請求項７から１０のいずれか１項に記載の看護業務支援システム。
【請求項１２】
コンピュータを請求項１に記載の管理装置として機能させるためのプログラム。
【請求項１３】
コンピュータを請求項１に記載の看護端末装置として機能させるためのプログラム。
【請求項１４】
コンピュータを請求項８に記載の患者端末装置として機能させるためのプログラム。
【発明の詳細な説明】
【技術分野】
【０００１】
本発明は、看護師や患者の位置情報を利用して看護業務の円滑化を図る看護業務支援システムおよびプログラムに関する。
【背景技術】
【０００２】
病棟看護の現場においては、ナースステーションを起点に正准看護師やヘルパーなどが各病室に赴き、入院患者に対して必要な看護業務を行っている。ナースステーションにおいては、師長などが入院患者の情報に基づき担当看護師の割り振りを行い、看護師は医師の指示内容や患者の病状に応じて作成した看護項目やその実施予定時刻などを含む看護計画に従い担当患者の看護業務を遂行する。各病室には看護計画で予定した時刻に赴くほか、患者からのナースコールに応じて赴く。病室では当該患者に対して施すべき措置などを携帯端末装置やカルテのコピーや予め必要事項を記載したノート・メモを参照しつつ業務を遂行している。
【０００３】
看護師が携帯する端末の現在位置情報に基づき、現在位置周辺の患者情報をサーバから当該端末に提供する技術が特許文献１で開示されている。また、看護師が携帯する端末から実施した内容及び実施した位置の情報をサーバに送信し、予めサーバに記憶された看護計画と照合して実施確認を行う技術が特許文献２で開示されている。
【先行技術文献】
【特許文献】
【０００４】
【特許文献１】特開２０１３−１８６５９４号公報
【特許文献２】特開２０１２−１８５６４４号公報
【発明の概要】
【発明が解決しようとする課題】
【０００５】
ナースステーションにおいては、看護師割り振りの場面や緊急対応が必要となる場面などにおいて、入院患者の状況を速やかに把握できることが望ましい。しかし、特許文献１の技術では、病室の患者情報を端末装置に表示するのみであり、複数の病室の患者情報を一覧できるものではない。また、病室における端末操作はできるだけ少ないことが望ましいが、特許文献１の技術では、病室で最初に端末に表示される患者情報は入院患者の氏名のみであり、実施すべき項目を表示するには別途操作が必要となる。
【０００６】
特許文献２の技術においては、作業完了入力は機器に付されたＲＦＩＤタグからのみであるが、機器の利用を伴わない作業については当該入力方法により作業完了を入力することができない。
【０００７】
本発明の目的は、病棟フロアの患者全体の状態を確認でき、病室においては容易に患者の状態の確認を行うことができ、かつ、実施内容の予実管理、引継情報の可視化により、業務の効率化を図ることに資する看護業務支援システム及びプログラムを提供することにある。
【課題を解決するための手段】
【０００８】
（１）本発明の看護業務支援システムは、管理装置と医療従事者が携帯する看護端末装置とを備える看護業務支援システムであって、管理装置は、入院患者の氏名、病室、患者の状態、及び看護項目を少なくとも管理する情報管理手段と、情報管理手段を参照し、各入院患者の状態及び看護項目を含む看護情報付きの入院患者名リストのＧＵＩ(Graphical User Interface)を各病室について生成する全病室表示生成手段と、病院内の地図上の各病室の位置に、全病室表示生成手段が生成した各病室のＧＵＩをそれぞれ表示する全体表示手段と、看護端末装置の現在位置を特定する端末位置特定手段と、看護端末装置の現在位置が病室であると特定されたとき、情報管理手段を参照し当該病室の各入院患者の看護情報を当該看護端末装置に提供する情報提供手段と、を備え、看護端末装置は、当該看護端末装置の現在位置が病室であると特定されたとき、当該病室の各入院患者の看護情報を情報提供手段から取得する情報取得手段と、当該病室の各入院患者の看護情報付きの入院患者名リストのＧＵＩを生成する病室表示生成手段と、病室表示生成手段が生成した当該病室のＧＵＩを表示する端末表示手段と、を備える。これにより、管理装置で管理されている看護情報が看護端末装置との間で共有され、ナースステーションでは全体表示手段を参照することで病棟フロアの患者全体の状態の把握やなすべき措置の検討を速やかに行うことができ、病室にいる看護師は端末表示手段を参照することで病室内の患者の状態の把握やなすべき措置の検討を速やかに行うことができる。
【０００９】
（２）全体表示手段は、病院内の地図上に看護端末装置の現在位置を更に表示するようにしてもよい。これにより、看護端末装置を携帯する看護師等の位置を把握することができ、緊急事態が生じた病室に最寄りの看護師等を速やかに向かわせることができる。
【００１０】
（３）全病室表示生成手段及び病室表示生成手段は、各入院患者の看護情報を分割し、分割された各部分を所定の時間ごとに順次切り替えて表示するＧＵＩを生成するようにしてもよい。
（４）また、看護項目をアイコンにより表現するＧＵＩを生成するようにしてもよい。このようにＧＵＩを生成することで、各表示手段の限られた表示領域により多くの情報を表示することができる。
【００１１】
（５）看護端末装置は、看護項目の実施完了情報を入力する入力手段を更に備え、病室表示生成手段は、入力手段への実施完了情報の入力を契機に看護項目の実施が完了していることを識別可能なＧＵＩを生成し、端末表示手段は、病室表示生成手段で更新されたＧＵＩを表示し、管理装置は、情報管理手段を参照して看護項目の実施状況を監視する監視手段を更に備え、情報管理手段は、更に看護項目の実施状況を管理し、看護端末装置における実施完了情報の入力を契機に実施状況を実施完了に更新し、全病室表示生成手段は、実施状況の更新を監視手段が検知したことを契機に看護項目の実施が完了していることを識別可能なＧＵＩを生成するように構成してもよい。これにより、各看護項目の実施が完了しているか否かを各装置間で共有でき、かつ、各表示手段上で確認することができる。
（６）入力手段は、端末表示手段に表示された入院患者名リストから特定の入院患者の選択を受け付ける選択受付手段と、選択受付手段が選択を受け付けた特定の入院患者の看護情報を一覧表示するＧＵＩを生成し端末表示手段に表示する個人情報画面生成手段と、端末表示手段に表示された看護情報の一覧表示画面で看護項目の実施完了情報の入力を受け付ける入力受付手段と、を備えてもよい。これにより、各入院患者の看護情報が確認しやすくなるとともに、実施完了情報の入力がしやすくなる。
【００１２】
（７）情報管理手段は、更に看護項目の実施完了予定時刻を管理し、監視手段は、更に看護項目の実施状況が実施完了予定時刻に実施完了に更新されているか否かを監視し、全病室表示生成手段は、実施状況が実施完了予定時刻後に未更新であることを監視手段が検知したことを契機に、実施完了予定時刻後に未実施であることを看護項目の表示部分で識別可能なＧＵＩを生成し、情報提供手段は、監視手段が検知した実施状況の未更新情報を看護端末装置に提供し、情報取得手段は、情報提供手段から未更新情報を取得し、病室表示生成手段は、実施完了予定時刻後に未実施であることを看護項目の表示部分で識別可能なＧＵＩを生成するようにしてもよい。これにより、予定通り実施されていない看護項目を速やかに把握することができる。
【００１３】
（８）入院患者が携帯又は装着する患者端末装置を更に備え、端末位置特定手段は、更に患者端末装置の現在位置を特定し、監視手段は、情報管理手段を参照し入院患者の病室の位置と当該入院患者の患者端末装置の現在位置との離隔の状況を監視し、全病室表示生成手段は、入院患者の病室の位置と当該入院患者の患者端末装置の現在位置との所定の離隔の発生を監視手段が検知したことを契機に、所定の離隔の発生を看護情報の表示部分で識別可能なＧＵＩを生成するようにしてもよい。これにより、患者が病室から離れたことを速やかに検知し、必要な対処を速やかにとることができる。
【００１４】
（９）全体表示手段は、端末位置特定手段により特定された患者端末装置の現在位置を表示するようにしてもよい。これにより、病室を離れた患者の行方を速やかに把握することができる。
【００１５】
（１０）情報管理手段は、更に看護項目の実施予定時刻及び実施場所を管理し、監視手段は、或る入院患者の看護項目の実施予定時刻において当該入院患者の患者端末装置が当該看護項目の実施場所に在るか否かを更に監視し、全病室表示生成手段は、実施予定時刻において患者端末装置が当該実施場所に不在であることを監視手段が検知したことを契機に、不在であることを看護情報の表示部分で識別可能なＧＵＩを生成するようにしてもよい。これにより、診察や検査など、看護項目の実施予約時刻における診察室や検査室などの実施場所での患者の在不在を把握することができ、不在の場合に速やかに次善策をとることができる。
【００１６】
（１１）管理装置及び看護端末装置は、監視手段が所定の検知をしたことを音声又はアラームにより通知する警告手段を更に備えてもよい。これにより、利用者が表示手段を見ることができない状況においても、所定の検知がされたことを認知することが可能となる。
【図面の簡単な説明】
【００１７】
【図１】本発明の看護業務支援システムの概略図である。
【図２】管理装置の構成の一例を示す図である。
【図３】病院内におけるアクセスポイントの配置の一例を示す図である。
【図４】看護端末装置の構成の一例を示す図である。
【図５】看護情報付き入院患者名リストのＧＵＩの一例を示す図である。
【図６】管理装置の表示部に表示された病院内の地図上の各病室の位置に、各病室の看護情報付きの入院患者名リストのＧＵＩをそれぞれ表示した例を示す図である。
【図７】看護情報を分割して分割した各部分を順次切り替えて画面表示する態様を説明する図である。
【図８】或る病室の看護端末装置の表示部に、看護情報付きの当該病室の入院患者名リストのＧＵＩを表示した例を示す図である。
【図９】管理装置の表示部に表示された病院内の地図上に看護端末装置及び患者端末装置の現在位置を表示した例を示す図である。
【図１０】看護端末装置の特定の入院患者の看護情報が表示された部分を選択することで看護情報の詳細画面が表示されることを説明する図である。
【図１１】患者端末装置の構成の一例を示す図である。
【発明を実施するための形態】
【００１８】
以下、図面を参照しつつ、本発明の看護業務支援システム及びプログラムの実施形態を説明する。なお、本発明は看護業務に類する業務形態をとるいかなる業務にも適用しうるものであり、この実施形態に限定されるものではない。
【００１９】
〔システムの構成〕
図１は、看護業務支援システム１の概略図である。看護業務支援システム１は、管理装置１０、アクセスポイント２０、及び看護端末装置３０を備える。管理装置１０は、有線ＬＡＮや無線ＬＡＮなどのネットワークＮＷを介して接続されたアクセスポイント２０を介して看護端末装置３０と通信を行う。アクセスポイント２０と看護端末装置３０との間は任意の無線通信手段により通信を行う。アクセスポイント２０及び看護端末装置３０の個数は任意である。
【００２０】
管理装置１０は、看護業務に関する情報を管理し、かつ当該情報を看護端末装置３０に提供する装置である。図２は、管理装置１０の構成の一例を示す図である。管理装置１０はコンピュータであり、ＣＰＵ１１、ＲＯＭ１２、ＲＡＭ１３、入力部１４、表示部１５、記憶部１６、及び通信部１７を備える。
【００２１】
ＣＰＵ１１は、ＲＯＭ１２や記憶部１６に記憶されたプログラムを実行し、管理装置１０の機能を実現する。ＲＯＭ１２はコンピュータを動作させるための基本的なプログラムなどを記憶する不揮発性メモリである。ＲＡＭ１３はＣＰＵ１１のワークエリアを提供する揮発性メモリである。入力部１４は、キーボードやポインティングデバイス等の入力デバイスであって、利用者が入力した情報をＣＰＵ１１に提供する。表示部１５は、ＬＣＤなどのディスプレイを備え、ＣＰＵ１１の制御に従い各種の情報を表示する。記憶部１６は、ＨＤＤやフラッシュメモリ等の記憶媒体であり、ＣＰＵ１１が実行する各種プログラムや実行に用いるテーブルなどの各種ファイルを記憶する。通信部１７は、ネットワークＮＷに接続するためのインタフェースであり、ネットワークＮＷに接続されたアクセスポイント２０を介して、看護端末装置３０との間で各種情報の送受を行う。
【００２２】
アクセスポイント２０は、看護端末装置３０との間で通信を行うための無線ＬＡＮなどのアクセスポイントである。アクセスポイント２０は、例えば図３に示すように病室、廊下、トイレ、外来エリア、検査室、手術室など病院内の各所に複数設置され、その通信領域内にある看護端末装置３０との間で任意の通信方式により無線通信を行う。各アクセスポイント２０には自身の識別ＩＤであるアクセスポイントＩＤが付与されている。
【００２３】
看護端末装置３０は、看護師をはじめとする医療従事者が携帯するノートＰＣ、タブレット端末、又はハンディターミナル等の端末装置である。看護端末装置３０には自身の識別ＩＤである看護端末ＩＤが付与されている。
【００２４】
図４は、看護端末装置３０の構成の一例を示す図である。管理装置３０はコンピュータであり、ＣＰＵ３１、ＲＯＭ３２、ＲＡＭ３３、入力部３４、表示部３５、記憶部３６、及び通信部３７を備える。
【００２５】
ＣＰＵ３１は、ＲＯＭ３２や記憶部３６に記憶されたプログラムを実行し、看護端末装置３０の機能を実現する。ＲＯＭ３２はコンピュータを動作させるための基本的なプログラムなどを記憶する不揮発性メモリである。ＲＡＭ３３はＣＰＵ３１のワークエリアを提供する揮発性メモリである。入力部３４は、キーボードやポインティングデバイス等の入力デバイスであって、利用者が入力した情報をＣＰＵ３１に提供する。表示部３５は、ＬＣＤなどのディスプレイを備え、ＣＰＵ３１の制御に従い各種の情報を表示する。なお、表示部３５はタッチパネル方式の入力部３４と一体的に構成してもよい。記憶部３６は、ＨＤＤやフラッシュメモリ等の記憶媒体であり、ＣＰＵ３１が実行する各種プログラムや実行に用いる各種ファイルを記憶する。通信部３７は、アクセスポイント２０と任意の通信方式での無線通信を行うためのインタフェースであり、アクセスポイント２０及びネットワークＮＷを介して、管理装置１０との間で各種情報の送受を行う。
【００２６】
〔機能の実現方法〕
続いて管理装置１０、アクセスポイント２０、及び看護端末装置３０により本発明の看護業務支援システム１の機能がどのように実現されるかについて説明する。
【００２７】
看護業務支援システム１は、ナースステーションなどに設けられた管理装置１０の表示部１５に表示された病院内の地図上に、患者の状態や看護項目を含む看護情報を全病室の各患者について一覧表示するとともに、病室に設けられたアクセスポイント２０の通信領域内看護端末装置３０の表示部３５に当該病室の各患者の看護情報を一覧表示するシステムである。
【００２８】
管理装置１０の記憶部１６は、あらかじめ入院患者の氏名、病室、患者の状態、及び看護項目などの看護情報を少なくとも記憶し、情報管理手段として機能する。また、情報管理手段を参照し、看護情報付きの入院患者名リストのＧＵＩを病室ごとに生成する全病室ＧＵＩ生成プログラムをあらかじめ記憶する。当該プログラムが看護情報とともに記憶部１６からＣＰＵ１１に読み込まれて実行されることにより、看護情報付きの入院患者名リストのＧＵＩを各病室について生成する全病室表示生成手段の機能が実現される。
【００２９】
全病室表示生成手段の機能により生成されるＧＵＩの一例を図５に示す。図５は同じ病室の４名の看護情報付き入院患者名リストのＧＵＩを示したものである。このようなＧＵＩを各病室について生成する。看護情報に含まれる内容は各人共通であるため、リストの最初の患者（特許一郎）の部分を例にとって説明する。１行目には、病床番号[８２０１]、ナースコール呼出回数[＋２]、警告回数[＋０]、入院日数[１日]が表示される。２行目には、氏名、体温計測回数ＫＴ[１]、脈拍計測回数Ｐ[１]、血圧計測回数ＢＤ[１]が表示される。３行目には看護項目が表示される。看護項目としては、例えば寝返り、起き上がり、座位保持、移乗、口腔清潔、食事摂取、衣服着脱などが挙げられ、項目の表示方法は任意である。図５の例は各項目をアイコンで表示することで、限りある表示領域において省スペース化を図ったものである。この例では、寝返り、起き上がり、座位保持、移乗、口腔清潔、食事摂取、衣服着脱の７つの項目を左から順にアイコン表示している。更に、いずれの項目が実施必要であるかは患者によって異なるため、例えば、必要な項目を明るい色のアイコン（特許一郎の場合、３、６番目）で、不要な項目を暗い色のアイコン（同、１、２、４、５、７番目）で表示することで実施要否を識別可能とするとよい。
【００３０】
管理装置１０の表示部１５は、病院内の地図上の各病室の位置に、全病室表示生成手段が生成した各病室のＧＵＩをそれぞれ表示する全体表示手段として機能する。例えば、８０１病室と８０２病室に１人ずつ、８２０〜８２２病室のそれぞれに４人ずつ入院患者がいる場合、図６に示すように地図上の各病室の位置に、１人部屋については当該１人のみの看護情報を示すＧＵＩを、４人部屋については当該４人の看護情報付きの入院患者名リストのＧＵＩを、それぞれ表示する。
【００３１】
なお、全病室表示生成手段の機能により生成されるＧＵＩは、記憶部１６に記憶される全ての看護情報を表示スペースに一度に表示するものである必要はなく、例えば、看護情報を分割し分割された各部分を所定の時間ごとに、又は所定の入力操作を契機に順次切り替えて表示するＧＵＩを生成してもよい。このようにＧＵＩを生成することで、各表示手段の限られた表示領域により多くの情報を表示することができる。
【００３２】
図７は、表示領域を固定領域と切替領域とに分け、切替領域のみ所定の時間ごとに表示を切り替える例を示したものである。ここでは表示する看護情報全体が、病床番号、ナースコール呼出回数、警告回数、入院日数、患者氏名、体温計測回数ＫＴ、脈拍計測回数Ｐ、血圧計測回数ＢＤ（以上を以下「基本情報」という。）、看護項目（図５の説明参照）、回診実績[８時３６分]、作業確認［１３時２０分に入浴介助、１５時に外科手術］、バイタル測定値［体温ＫＴ３７．４℃、脈拍数Ｐ５６、血圧１４７／１２２］であるとし、これらを (1)基本情報、(2)看護項目、(3)回診実績、(4)作業確認、(5)バイタル測定値、に分割して、(1)を固定領域（１、２行目）に固定的に表示し、(2)から(5)を切替領域（３行目）に順次表示する。すなわち、(1)と(2)が表示された状態（図７(a)）、(1)と(3)が表示された状態（図７(b)）、(1)と(4)が表示された状態（図７(c)）、(1)と(5)が表示された状態（図７(d)）に順次切り替わり、再び(1)と(2)が表示された状態に戻って、以降繰り返されるようにする。なお、固定領域を設けることは勿論必須ではなく、全領域を切り替えるように構成しても構わない。
【００３３】
病室内の看護師等が携帯する看護端末装置３０に、当該病室の入院患者の看護情報付きの入院患者名リストを表示可能とするため、管理装置１０は看護端末装置３０の現在位置を、例えば次のような方法で特定する。これにより、端末位置特定手段の機能が実現される。なお、ここでは看護情報を送受するためのアクセスポイントと位置情報提供のためのアクセスポイントとが一体的である場合を例にとって説明するが、看護端末装置３０の位置を特定できれば、位置特定の実現形態は任意である。例えば、位置情報提供のための（例えばＩＭＥＳ(Indoor MEssaging System)用の）アクセスポイントを、看護情報を送受するためのアクセスポイントとは別に設け、看護端末装置とは別の（例えばＩＭＥＳ用の）送信機を看護端末装置とともに携帯して利用するなどの実現形態をとっても構わない。
【００３４】
管理装置１０の記憶部１６には、アクセスポイントＩＤとアクセスポイントの設置位置とを対応付けるアクセスポイントテーブルをあらかじめ記憶しておく。また、アクセスポイントＩＤ及び看護端末ＩＤを受信したことを契機にアクセスポイントテーブルを参照して看護端末装置３０（の利用者）の現在位置を特定する現在位置特定プログラムもあらかじめ記憶しておく。
【００３５】
看護端末装置３０のＣＰＵ３１は、あらかじめ記憶部３６に記憶された通信プログラム及び自身の看護端末ＩＤを読み込んで実行し、通信部３７から逐次自身の看護端末ＩＤを送信する。最寄りのアクセスポイント２０がこれを受信し、当該看護端末ＩＤを自身のアクセスポイントＩＤとともに管理装置１０に送信する。
【００３６】
管理装置１０のＣＰＵ１１は、あらかじめ記憶部１６に記憶された通信プログラムを読み込んで実行し、看護端末装置３０から送信されたアクセスポイントＩＤと看護端末ＩＤを受信し、これを契機に記憶部１６から現在位置特定プログラム及びアクセスポイントテーブルを読み込んで実行する。これにより、当該看護端末ＩＤを受信したアクセスポイント２０の位置が当該看護端末装置３０（利用者）の現在位置として特定される。例えば、看護端末ＩＤを受信したアクセスポイント２０が或る病室に設置されたものである場合、当該看護端末ＩＤを送信した看護端末装置３０の現在位置は当該病室であると特定される。
【００３７】
看護端末装置３０の現在位置が或る病室であると特定された場合、管理装置１０のＣＰＵ１１は、あらかじめ記憶部１６に記憶された通信プログラムを読み込んで実行し、当該病室の入院患者の看護情報を記憶部１６から読み出し、通信部１７を介して当該看護端末装置３０に送信する。看護端末装置３０においては、管理装置１０から取得した当該病室の入院患者の看護情報から看護情報付きの入院患者名リストのＧＵＩを生成する病室ＧＵＩ生成プログラムを記憶部３６にあらかじめ記憶しておく。看護端末装置３０のＣＰＵ３１は、あらかじめ記憶部３６に記憶された通信プログラムを読み込んで実行し、管理装置１０から送信された当該病室の入院患者の看護情報を通信部３７を介して受信し、記憶部３６に記憶させた上で、当該看護情報と病室ＧＵＩ生成プログラムを読み込んで実行する。これにより、当該病室における看護情報付きの入院患者名リストのＧＵＩが生成され、病室表示生成手段の機能が実現される。生成するＧＵＩは、全病室表示生成手段の機能により生成される各病室のＧＵＩ（図５参照）と同じにしてもよいし、相違させても構わない。
【００３８】
看護端末装置３０の表示部３５は、病室表示生成手段が生成した、当該病室における看護情報付きの入院患者名リストのＧＵＩを表示する端末表示手段として機能する。例えば、当該病室が４人部屋である場合、図８に示すように表示する。
【００３９】
なお、病室表示生成手段の機能により生成されるＧＵＩは、記憶部３６に記憶される全ての看護情報を表示スペースに一度に表示するものである必要はなく、例えば、看護情報を分割し分割された各部分を所定の時間ごとに、又は所定の入力操作を契機に順次切り替えて表示するＧＵＩを生成してもよい。このようにＧＵＩを生成することで、各表示手段の限られた表示領域により多くの情報を表示することができる（図７参照）。
【００４０】
以上のように構成した看護業務支援システム１により、管理装置１０で管理されている看護情報が看護端末装置３０との間で共有され、ナースステーションでは全体表示手段である表示部１５を参照することで病棟フロアの患者全体の状態やなすべき措置を把握することができ、病室にいる看護師は病室内の患者の状態やなすべき措置を端末表示手段である表示部３５を参照することで即時に把握することができる。
【００４１】
端末位置特定手段の機能により、看護端末装置３０の現在位置を逐次取得できることから、取得した現在位置情報を記憶部１６に時系列で記憶していく機能を現在位置特定プログラムに追加してもよい。これにより、看護師等の動線を事後的に解析することが可能となり、人員の割り振りや業務の効率化の検討などに役立てることができる。
【００４２】
各病室の入院患者の看護情報とともに、端末位置特定手段の機能により特定された看護端末装置３０の現在位置を表示部１５に表示する機能を全病室ＧＵＩ生成プログラムに追加してもよい。例えば、図９は病院内の地図上に各看護端末装置３０の現在位置を看護端末ＩＤ付きのハートマークで示したものであり、看護端末ＩＤが１番の看護端末装置３０が検査室に、２番の看護端末装置３０が８２１病室に、３番の看護端末装置３０が８０１病室にそれぞれある場合を示したものである。これにより、各看護端末装置３０の現在位置を表示部１５上で逐次把握することができ、入院患者に緊急事態が生じた病室に最寄りの看護師等を速やかに向かわせることができる。
【００４３】
管理装置１０において更に各看護項目の実施状況を管理し、看護端末装置３０において入力された実施完了情報により実施状況を更新し、更新された実施状況をＧＵＩに反映するようにしてもよい。これにより、各看護項目の実施が完了しているか否かを管理装置１０と看護端末装置３０との間で共有でき、かつ、各表示部上で確認することができる。この機能は例えば次のように実現することができる。
【００４４】
病室ＧＵＩ生成プログラムに、各看護項目の実施が完了しているか否かを識別可能なＧＵＩを生成する機能を追加しておく。看護師等が看護端末装置３０の入力部３４から実施完了情報を入力したことを契機に、ＣＰＵ３１に当該実施完了情報が読み込まれるとともに看護情報と病室ＧＵＩ生成プログラムが記憶部３６から読み込まれて実行される。これにより実施が完了した看護項目を識別可能な、当該病室における看護情報付きの入院患者名リストのＧＵＩが生成され、これが表示部３５に表示される。
【００４５】
入力する実施完了情報は、単に対象の看護項目の実施が完了したことのほか、実施完了時刻を含めてもよい。また、ＧＵＩで看護項目の未実施・実施完了を識別可能にする方法は任意であるが、例えば、看護項目の表示（文字やアイコン）の字体や色を変える、看護項目の表示部分をクリック、タッチするなどにより画面が切り替わって各項目の実施完了状況が一覧表示されるなどの方法が挙げられる。
【００４６】
看護端末装置３０のＣＰＵ３１は、あらかじめ記憶部３６に記憶された通信プログラムを読み込んで実行し、入力部３４において入力された看護項目の実施完了情報を通信部３７から管理装置１０に送信する。管理装置１０の記憶部１６は看護情報として各看護項目の実施状況を更に記憶する。ＣＰＵ１１は、あらかじめ記憶部１６に記憶された通信プログラムを読み込んで実行し、通信部１７において受信した看護項目の実施完了情報により、記憶部１６に記憶された当該看護項目の実施状況を未実施から実施完了に更新する。実施完了情報に実施完了時刻などが含まれる場合には、実施が完了していることとともに更新した実施状況に含めてもよい。記憶部１６には、看護項目の実施状況を監視する監視プログラムを更に記憶しておき、これがＣＰＵ１１に読み込まれ実行されることで看護項目の実施状況を監視する監視手段の機能が実現される。また、全病室ＧＵＩ生成プログラムに各看護項目の実施が完了しているか否かを識別可能なＧＵＩを生成する機能を追加する。実施状況の更新を監視手段が検知したことを契機に、更新前の看護情報と実施完了情報と全病室ＧＵＩ生成プログラムがＣＰＵ１１に読み込まれ実行される。これにより、実施完了している看護項目を識別可能な、各病室における看護情報付きの入院患者名リストのＧＵＩが生成され、これが表示部１５に表示される。
【００４７】
管理装置１０において更に看護項目の実施完了予定時刻を管理し、実施完了予定時刻に実施状況が実施完了に更新されていない場合に、未実施であることを管理装置１０及び看護端末装置３０において表示されるＧＵＩに反映するようにしてもよい。これにより、予定通り実施されていない看護項目を容易に把握することができる。この機能は例えば次のように実現することができる。
【００４８】
記憶部１６が、看護情報として看護項目の実施完了予定時刻を更に記憶する。監視プログラムに、更に看護項目の実施状況が実施完了予定時刻に実施完了に更新されているか否かを監視する機能を追加し、全病室ＧＵＩ生成プログラムに、実施完了予定時刻後に未実施であることを看護項目の表示部分で識別可能なＧＵＩを生成する機能を追加しておく。監視プログラムがＣＰＵ１１に読み込まれて実行され、実施状況が実施完了予定時刻後に更新されていないことが検知されたことを契機に、実施完了予定時刻前の看護情報と全病室ＧＵＩ生成プログラムがＣＰＵ１１に読み込まれ実行される。これにより、実施完了予定時刻後に未実施であることを看護項目の表示部分で識別可能なＧＵＩが生成され、これが表示部１５に表示される。また、実施完了予定時刻後に未実施であることを音声やアラームで警告する警告プログラムを記憶部１６に更に記憶しておき、実施状況が実施完了予定時刻後に更新されていないことが検知されたことを契機に、ＣＰＵ１１に読み込んで実行するように構成してもよい。これにより、警告手段の機能が実現され、利用者が表示部１５を見ることができない状況においても、看護項目の実施完了予定時刻後の未実施を音によって認知することが可能となる。
【００４９】
ＧＵＩで未実施・実施完了予定時刻後未実施を識別可能にする方法は任意であるが、例えば、看護情報の表示部分の背景色を変える、看護項目の表示（文字やアイコン）の字体や色を変える、看護項目の表示部分をクリック、タッチするなどにより画面が切り替わって各項目の実施状況が表示されるなどの方法が挙げられる。また、全病室ＧＵＩ生成プログラムを実施完了予定時刻の表示についてもＧＵＩに含めるように構成してもよい。また、記憶部１６が看護情報として看護項目の実施完了予定時刻とともに実施開始予定時刻についても記憶し、全病室ＧＵＩ生成プログラムを実施開始予定時刻の表示についてもＧＵＩに含めるように構成してもよい。
【００５０】
一方、看護端末装置３０においては、管理装置１０で管理する看護情報の追加に伴い、看護情報を取得する際に看護項目の実施完了予定時刻（及び実施開始予定時刻）も取得する。また、病室ＧＵＩ生成プログラムに、実施完了予定時刻後に未実施であることを識別可能なＧＵＩを生成する機能を追加しておく。このとき、管理装置１０から未更新情報を取得したことを契機に、実施完了予定時刻前の看護情報と病室ＧＵＩ生成プログラムがＣＰＵ３１に読み込まれ実行される。これにより、実施完了予定時刻後に未実施であることを看護項目の表示部分で識別可能なＧＵＩが生成され、これが表示部３５に表示される。なお、病室ＧＵＩ生成プログラムに実施完了予定時刻及び実施開始予定時刻の表示についてもＧＵＩに含める機能を追加してもよい。また、実施完了予定時刻後に未実施であることを音声やアラームで警告する警告プログラムを記憶部３６に更に記憶しておき、実施状況が実施完了予定時刻後に更新されていないことが検知されたことを契機に、ＣＰＵ３１に読み込んで実行するように構成してもよい。これにより、警告手段の機能が実現され、利用者が表示部３５を見ることができない状況においても、看護項目の実施完了予定時刻後の未実施を音によって認知することが可能となる。
【００５１】
看護端末装置３０において、表示部３５に表示された入院患者名リストから特定の入院患者を選択入力することにより表示された当該入院患者の看護情報を一覧表示するＧＵＩ上で看護項目の実施完了情報を入力可能に構成してもよい。例えば、図１０(a)に示すように４名のリストが表示されている状態で、いずれか１名、例えば特許一郎の表示部分について、タッチやクリックによる選択入力操作を行うことで、図１０(b)に示すような当該１名の看護情報が一覧表示され、この一覧表示画面上で看護項目の実施完了情報を入力可能とする。これにより、各入院患者の看護情報が確認しやすくなるとともに、実施完了情報の入力がしやすくなる。この機能は例えば次のように実現することができる。
【００５２】
選択入力された情報に基づき特定された入院患者の看護情報を一覧表示するＧＵＩを生成する個人情報画面生成プログラムを記憶部３６にあらかじめ記憶しておく。表示部３５に表示された入院患者名リスト上の特定の入院患者の表示部分に対して、マウスや表示部３５と一体的に構成されたタッチパネルなどの入力部３４から選択入力操作が行われることで、ＣＰＵ３１に選択入力された情報が取り込まれ、選択受付手段の機能が実現される。続いて、ＣＰＵ３１に個人情報画面生成プログラムが読み込まれ実行されることで、選択入力された情報に基づき特定された入院患者の看護情報を一覧表示するＧＵＩが生成され、表示部３５に表示される。これにより、個人情報画面生成手段の機能が実現される。続いて、表示部３５に表示された看護情報の一覧表示画面で、マウスやタッチパネルなどの入力部３４から所定の入力操作が行われることで、ＣＰＵ３１に看護項目の実施完了情報が取り込まれる。これにより入力受付手段の機能が実現される。
【００５３】
入院患者は常に病室に留まっているわけではなく、自ら又は病院関係者の主導により病室外に出ることがあり、そのような場合に入院患者の行方を速やかに把握できるようにすることは、看護の円滑化や入院患者の安全の観点から有効である。このような効果を得るために、例えば、入院患者に患者端末装置４０を携帯又は装着させることで入院患者の現在地を把握可能とするとよい。この機能は例えば次のように実現することができる。
【００５４】
患者端末装置４０には、自身の識別ＩＤである患者端末ＩＤが付与されている。図１１は、患者端末装置４０の構成の一例を示す図である。患者端末装置４０はコンピュータであり、少なくともＣＰＵ４１、ＲＯＭ４２、ＲＡＭ４３、記憶部４６、及び通信部４７を備える。ＣＰＵ４１は、記憶部４６に記憶されたプログラムを実行し、患者端末装置４０の機能を実現する。ＲＯＭ４２はコンピュータを動作させるための基本的なプログラムなどを記憶する不揮発性メモリである。ＲＡＭ４３はＣＰＵ４１のワークエリアを提供する揮発性メモリである。記憶部４６は、ＨＤＤやフラッシュメモリ等の記憶媒体であり、ＣＰＵ４１が実行する各種プログラムや実行に用いる各種ファイルを記憶する。通信部４７は、アクセスポイント２０と任意の通信方式による無線通信を行うためのインタフェースであり、アクセスポイント２０及びネットワークＮＷを介して、管理装置１０との間で各種情報の送受を行う。
【００５５】
患者端末装置４０のＣＰＵ４１は、あらかじめ記憶部４６に記憶された通信プログラム及び自身の患者端末ＩＤを読み込んで実行し、通信部４７から逐次自身の患者端末ＩＤを送信する。最寄りのアクセスポイント２０がこれを受信し、当該患者端末ＩＤを自身のアクセスポイントＩＤとともに管理装置１０に送信する。
【００５６】
管理装置１０のＣＰＵ１１は、あらかじめ記憶部１６に記憶された通信プログラムを読み込んで実行し、患者端末装置４０から送信されたアクセスポイントＩＤと患者端末ＩＤを受信し、これを契機に記憶部１６から現在位置特定プログラム及びアクセスポイントテーブルを読み込んで実行する。これにより、当該患者端末ＩＤを受信したアクセスポイント２０の位置が当該患者端末装置４０（患者）の現在位置として特定される。例えば、患者端末ＩＤを受信したアクセスポイント２０が或る病室に設置されたものである場合、当該患者端末ＩＤを送信した患者端末装置４０の現在位置は当該病室であると特定される。なお、看護端末装置３０の場合と同様に、ここで説明した位置の特定方法は一例であり、患者端末装置４０の位置を特定できれば、位置特定の実現形態は任意である。
【００５７】
記憶部１６は、看護情報として更に入院患者の患者端末ＩＤを記憶するとともに、当該患者端末ＩＤが付された当該入院患者の患者端末装置４０の特定された現在位置を逐次記憶する。また、監視プログラムに、或る入院患者の病室と当該入院患者の患者端末装置４０の現在位置との離隔を記憶部１６を逐次参照して監視し、所定の離隔を検知した場合に全病室ＧＵＩ生成プログラムを起動する機能を追加しておく。更に、全病室ＧＵＩ生成プログラムに、看護情報付きの入院患者名リストの当該入院患者の表示部分で所定の離隔が生じたことを識別可能なＧＵＩを生成する機能を追加しておく。監視プログラムがＣＰＵ１１に読み込まれ実行中に所定の離隔が検知されると、全病室ＧＵＩ生成プログラムがＣＰＵ１１に更に読み込まれて実行される。これにより、入院患者が病室から移動し所定の離隔が生じたことを識別可能な、各病室における看護情報付きの入院患者名リストのＧＵＩが生成され、これが表示部１５に表示される。また、所定の離隔が生じたことを音声やアラームで警告する警告プログラムを記憶部１６に更に記憶しておき、所定の離隔が検知されたことを契機に、ＣＰＵ１１に読み込んで実行するように構成してもよい。これにより、警告手段の機能が実現され、利用者が表示部１５を見ることができない状況においても、所定の離隔の発生を音によって認知することが可能となる。
【００５８】
所定の離隔は、入院患者の病室以外の場所に居る場合としてもよいし、入院患者の病室や病室からトイレに至る経路以外の場所に居る場合など、任意のルールを設けて決定してもよい。また、ＧＵＩで所定の離隔が生じたことを識別可能にする方法は任意であるが、例えば、当該入院患者の看護情報の表示部分の背景色を変える、表示を点滅させるなどの方法が挙げられる。また、離隔の程度に応じて識別方法を相違させてもよい。
【００５９】
各病室の入院患者の看護情報とともに、端末位置特定手段の機能により特定された患者端末装置４０の現在位置を表示部１５に表示する機能を全病室ＧＵＩ生成プログラムに追加してもよい。例えば、図９は病院内の地図上に患者端末装置４０の現在位置を四角で囲った番号で示したものであり、患者端末ＩＤが８０１番の患者端末装置４０が８０１病室に、８０２番、８２０１番、８２０２番、８２０３番の患者端末装置４０が８２０病室に、８２１２番、８２１３番、８２１４番の看護端末装置４０が８２１病室に、８２２１番、８２２２番、８２２４番の看護端末装置４０が８２２病室に、８２０４番の看護端末装置４０が外来に、８２１１番の看護端末装置４０がトイレに、８２２３番の看護端末装置４０が検査室にそれぞれある場合を示したものである。これにより、看護端末装置４０を携帯又は装着する入院患者の位置を表示部１５上で逐次把握することができ、看護の円滑化や入院患者の安全性の向上を図ることができる。
【００６０】
管理装置１０により特定された患者端末装置４０の現在位置情報を、看護端末装置３０における看護情報付きの入院患者名リストの表示内容に反映してもよい。
【００６１】
例えば、或る病室にある看護端末装置３０に表示する看護情報付きの入院患者名リストのＧＵＩ上で当該病室の或る入院患者に病室からの所定の離隔が生じていることを識別可能とすることができる。この機能は例えば次のように実現することができる。監視プログラムを実行する管理装置１０のＣＰＵ１１は、或る入院患者の患者端末装置４０の現在位置と当該入院患者の病室との間に所定の離隔を検知した場合に、所定の離隔を検知したこと示す離隔検知フラグを看護情報として記憶部１６に更に記憶する。また、病室ＧＵＩ生成プログラムには、管理装置１０から取得した入院患者の看護情報に離隔検知フラグが含まれている場合に、看護情報付きの入院患者名リストの当該入院患者の表示部分で所定の離隔が生じたことを識別可能なＧＵＩを生成する機能を追加しておく。これにより、或る病室にある看護端末装置３０が管理装置１０から当該病室の入院患者の看護情報を受信し、看護情報付きの入院患者名リストのＧＵＩを生成して表示した際に、当該ＧＵＩ上で当該病室の或る入院患者に病室からの所定の離隔が生じていることを識別可能とすることができる。
【００６２】
ＧＵＩで所定の離隔が生じたことを識別可能にする方法は任意であるが、例えば、当該入院患者の看護情報の表示部分の背景色を変える、表示を点滅させるなどの方法が挙げられる。また、離隔の程度に応じて識別方法を相違させてもよい。また、ＧＵＩに看護情報に含まれる患者端末装置４０の現在位置の情報を含めてもよい。これにより、患者の所在を速やかに把握し、必要な対処を速やかにとることができる。
【００６３】
また例えば、管理装置１０が或る病室にある看護端末装置３０に対し看護情報を送信する際に、当該病室の入院患者のものに加え、患者端末装置４０の現在位置が当該病室である他の病室の入院患者の看護情報を送信するようにしてもよい。これにより、当該病室の入院患者の看護情報に加え、何らかの理由で当該病室に来ていた他の病室の入院患者の看護情報も看護情報付きの入院患者名リスト上で確認できるため、当該他の病室の入院患者に対して看護情報に基づき適切な対応をとることが可能となる。
【００６４】
診察や検査などのために、入院患者が病室外を移動することがあるが、予定していた順序や時刻に所定の場所に不在の場合に、それをナースステーションなどで把握することができれば、速やかに次善策をとることができる。現在位置特定プログラムの実行により、患者端末装置４０の現在位置を逐次取得できることから、スケジュール情報と現在位置情報とを照合することで、所定の時刻・場所における在不在を特定し、表示部１５に表示することが可能となる。このような機能は例えば次のように実現することができる。
【００６５】
記憶部１６は、外来受診、検査、手術などを含む各看護項目について、実施開始予定時刻や実施完了予定時刻など、在不在を判定する基準となる実施予定時刻、及び各看護項目の実施場所を看護情報として更に記憶する。また、現在位置特定プログラムに、プログラムの実行により現在位置情報を取得する機能に加え、取得した位置情報を記憶部１６に時系列で記憶する機能を追加しておく。加えて、監視プログラムに、情報管理手段を参照して得られた或る患者端末ＩＤの入院患者の看護項目の実施予定時刻において、当該看護項目の実施場所と当該患者端末ＩＤの患者端末装置４０の現在位置とが一致しているか否かを監視し、不一致を検知した場合に全病室ＧＵＩ生成プログラムを起動する機能を追加しておく。更に、全病室ＧＵＩ生成プログラムに、看護情報付きの入院患者名リストの当該入院患者の表示部分で、看護項目の実施予定時刻に実施場所に不在であることを識別可能なＧＵＩを生成する機能を追加しておく。監視プログラムがＣＰＵ１１に読み込まれ、実行中に不一致が検知されると、更に全病室ＧＵＩ生成プログラムがＣＰＵ１１に読み込まれて実行される。これにより、看護項目の実施予定時刻に実施場所に不在であることを識別可能な、各病室における看護情報付きの入院患者名リストのＧＵＩが生成され、これが表示部１５に表示される。また、実施予定時刻に実施場所に不在であることを音声やアラームで警告する警告プログラムを記憶部１６に更に記憶しておき、実施場所と現在位置との不一致が検知されたことを契機に、ＣＰＵ１１に読み込んで実行するように構成してもよい。これにより、警告手段の機能が実現され、利用者が表示部１５を見ることができない状況においても、実施予定時刻における実施場所での患者の不在を音によって認知することが可能となる。
【００６６】
本発明は、上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【産業上の利用可能性】
【００６７】
本発明の看護業務支援システムは、病院のみならず看護付き高齢者住宅等への導入により業務の効率化・円滑化を図ることができる。
【符号の説明】
【００６８】
１…看護業務支援システム
１０…管理装置
１１、３１、４１…ＣＰＵ
１２、３２…ＲＯＭ
１３、３３、４３…ＲＡＭ
１４、３４…入力部
１５、３５…表示部
１６、３６、４６…記憶部
１７、３７、４７…通信部
２０…アクセスポイント
３０…看護端末装置
４０…患者端末装置
ＮＷ…ネットワーク
【図１】
0006505622.tif 000002
【図２】
0006505622.tif 000003
【図３】
0006505622.tif 000004
【図４】
0006505622.tif 000005
【図５】
0006505622.tif 000006
【図６】
0006505622.tif 000007
【図７】
0006505622.tif 000008
【図８】
0006505622.tif 000009
【図９】
0006505622.tif 000010
【図１０】
0006505622.tif 000011
【図１１】
0006505622.tif 000012